(57)【要約】      （修正有）【課題】家具前面の下に敷く家具転倒防止具が、地震により家具から外れるのを防ぐ家具転倒防止パッドを提供する。【解決手段】家具前面の下に敷く載上板２と、その載上板２の飛び出しを防止する押さえピン３とよりなり、その押さえピン３が回動自在に載上板２に保持される。家具に家具転倒防止パッド１を敷くときは、押さえピン３の家具台輪の裏に対応する裏面部３ｂが床面に平行状にしておき、家具に敷き、押さえピン３前面部３ａを略９０°回転させ床に平行状態にすることにより、家具台輪の裏に対応する裏面部３ｂが略鉛直状になり、この裏面部３ｂが家具台輪の裏に当たり地震による家具のずれや移動による家具転倒防止パッド１の飛び出しを防止する。【選択図】図１
2013184038.tif 000002
【特許請求の範囲】
【請求項１】
家具前面の下に敷く載上板と、その載上板の飛び出しを防ぐ押さえピンとよりなり、その押さえピンが回動自在に載上板に保持されるとともに、一定位置で係止することを特徴とする家具転倒防止パッド。
【発明の詳細な説明】
【技術分野】
【０００１】  本発明は、家具正面の下に敷く家具転倒防止パッドに関する。
【背景技術】
【０００２】  従来、地震に備えての家具転倒防止方法で、家具前面の下に敷き、予め家具を壁側に傾斜させて設置する方法では、略三角形状の家具転倒防止パッドを敷くのが主流であった。
【発明の概要】
【発明が解決しようとする課題】
【０００３】  ところが、上記家具転倒防止パッドは、略三角形状になっていて地震で家具がずれたり移動したりして、家具から家具転倒防止パッドが前面方向に抜け出る可能性が非常に高かった。【０００４】  このため、家具の揺れによっては、家具転倒防止パッドが家具からずれたり外れたりし、効果が薄れたり効果が無くなる可能性が十分あった。【０００５】  本発明は、斯かる事情に鑑みてなされたもので、従来の前記問題を一挙に解決することが出来る、家具転倒防止パッドを提供することを目的としている。
【課題を解決するための手段】
【０００６】  前記目的を達成するために、本発明は、家具前面の下に敷く載上板と、その載上板の飛び出しを防ぐ押さえピンとよりなり、その押さえピンが回動自在に載上板に保持されるとともに、一定位置で係止することを特徴とする。
【発明の効果】
【０００７】  本発明によれば、家具前面の下に敷く載上板には左右両側に載上板が飛び出すのを防ぐ押さえピンが保持されている。【０００８】  この押さえピンは、家具台輪の裏に対応する裏面部と家具の前面に位置する前面部が略９０°に屈曲しているが一方が床面に平行状の向きのとき、他方は垂直状に形成されている。【０００９】  このため、押さえピンの垂直状になっている前面部を略９０°回転させ床に平行状にすると家具台輪の裏に対応する裏面部が垂直状になり、家具の揺れで家具転倒防止パッドがずれて飛び出そうとしても、この裏面部が家具台輪の裏に当たり飛び出すのを防ぐ。【００１０】  家具台輪の裏に対応する押さえピン裏面部の屈曲部にバネ力を持たせ、予め裏面部を前倒しに形成し、家具に敷くときは押さえピンを家具裏側方向にスライドさせ、裏面部と家具台輪の裏面とに間隔をあけ、裏面部が家具台輪裏にあたる位置まで前面部を操作し、それより裏面部が家具台輪裏に当たりバネ力が働くまで前面部を引き、更にその前面部を床面に平行状になるまで回転すると家具台輪に家具転倒防止パッドが挟着される。【００１１】この押さえピンの、家具台輪の裏に対応する裏面部に、弾力性のある挿入体を挿入しても、この挿入体の弾力により家具転倒防止パッドを家具台輪に挟着することが出来る。【００１２】  尚、本発明において「一定位置で係止」とは、回動部がその位置で固定されるのは勿論のこと、回動部が摩擦力で簡単に戻らないことも含まれる。
【図面の簡単な説明】
【００１３】
【図１】  本発明の家具転倒防止パッドの斜視図で、押さえピンの回動範囲を示す。
【図２】  本発明の家具転倒防止パッドの斜視図で、押さえピンの裏面部が床面に対して平行状態を示す。
【図３】  本発明の家具転倒防止パッドの斜視図で、押さえピンの裏面部が床面に対して垂直状態を示す。
【図４】  本発明の家具転倒防止パッドを家具に敷き、家具の一部を破断した斜視図で、一部拡大図を示す。
【発明を実施するための形態】
【００１４】  本発明の実施の形態を、添付図面に例示した本発明の実施例に基づいて以下に具体的に説明する。
【００１５】  まず図１において、載上板２の左右両側には押さえピン３が回動自在に保持されていて、この押さえピン３は実線位置から二点鎖線位置までの間を回動する。
【００１６】  つまり、押さえピン３の裏面部３ｂと前面部３ａはある程度の直線部をもって略９０°に屈曲され、その方向は、裏面部３ｂが床に平行状のとき前面部３ａは垂直状に形成されている。
【００１７】  図２は、押さえピン３の家具台輪７の裏に対応する裏面部３ｂが床面に平行状になっている。家具６に敷くときはこの状態で敷くと家具６を高く上げなくても敷くことが出来る。
【００１８】  つぎに図３について説明すると、押さえピン３の前面部３ａを略９０°回転させ床に平行状にすることにより、家具台輪６の裏に対応する裏面部３ｂが略垂直状になりこの裏面部３ｂが家具台輪６の裏に当たり地震による家具６のずれや移動による家具転倒防止パッド１の飛び出しを防止する。
【００１９】  このとき家具台輪７の厚みによっては、家具台輪７の裏とそれに対応する押さえピン３の裏面部３ｂ間には隙間が生ずる場合があるが家具転倒防止パッドの飛び出し防止に非常に効果がある。
【００２０】  図４は家具６に家具転倒防止パッド１を敷いた状態で家具６の一部を破断して家具転倒防止パッド１の納まり状態を示し押さえピン３の前面部３ａの両側を連結板５で連結している。
【００２１】  これにより、地震によって家具６が移動し、その影響で家具転倒防止パッド１の押さえピン３が開くことはなく係止状態を維持する。またこの連結板５のデザインによっては見た目を良くできる。
【００２２】  また、ここでは押さえピン３の裏面部３ｂの屈曲部はバネ力を保持し裏面部３ｂを前倒しに成形している。このため家具台輪７の厚みに対応でき、家具転倒防止パッド１が家具台輪７に挟着される。
【００２３】  このように本発明の家具転倒防止パッド１は、押さえピン３の前面部３ａを略９０°回転させることで裏面部３ｂが垂直状に立ち、地震で家具６がずれたり移動したとき、この裏面部３ｂが家具台輪７の裏にあたり、飛び出し防止に非常に効果的である。
【００２４】  以上、本発明の実施例ついて説明したが、本発明はその実施例に限定されることなく、本発明の範囲内で種々の実施例が可能である。たとえば前記実施例では押さえピン３の前面部３ａと裏面部３ｂの向きが異方向を向いているがコの字のように同じ方向でもよい。また実施例では押さえピン３を載上板２の両側に保持しているが一ヶ所でもよい。更に前記実施例で押さえピン３の回動おさえを前面部３ａに連結板５で連結しているが裏面部３ｂの両側に伸縮体を繋着しても、或いは保持具４の締着で摩擦を増大させてもよい。
【符号の説明】
【００２５】  １・・・家具転倒防止パッド
２・・・載上板
３・・・押さえピン
４・・・保持具
５・・・連結板
６・・・家具
７・・・家具台輪
【図１】
2013184038.tif 000003
【図２】
2013184038.tif 000004
【図３】
2013184038.tif 000005
【図４】
2013184038.tif 000006